【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
ネットワーク接続された複数の画像処理装置からなる画像処理システムにおける制御方法であって、
データを解析することで、該データが複数の種別のどれかを判定するステップ、
前記複数の種別それぞれに設けられた複数のカウンタのうち、該判定された種別についてのカウンタをカウントし、該カウント結果に応じて処理の優先順位を決定するステップ、
前記決定された優先順位と前記データとを関連付けたドキュメントデータを保持する保持ステップ、
前記ドキュメントデータに対する印刷の指示を受け付ける受付ステップ、前記複数の画像処理装置から該複数の画像処理装置それぞれの機器情報を取得するステップ、
前記機器情報から、前記複数の画像処理装置と、処理分類毎の処理能力からなる処理能力テーブルを生成するステップ、
前記ドキュメントデータの優先順位に従い決まる処理分類及び前記処理能力テーブルから、前記複数の画像処理装置に対する処理経路を選択し、該選択された処理経路順に前記ドキュメントを転送し、印刷処理を行う印刷ステップ、
とを有することを特徴とする制御方法。
【請求項２】
前記種別には、TEXT、GRAPHIC、IMAGEを含むことを特徴とする請求項１記載の制御方法。
【請求項３】
ネットワーク接続された複数の画像処理装置からなる画像処理システムに、
データを解析することで、該データが複数の種別のどれかを判定するステップ、
前記複数の種別それぞれに設けられた複数のカウンタのうち、該判定された種別についてのカウンタをカウントし、該カウント結果に応じて処理の優先順位を決定するステップ、
前記決定された優先順位とデータとを関連付けたドキュメントデータを保持する保持ステップ、
前記ドキュメントデータに対する印刷の指示を受け付ける受付ステップ、前記複数の画像処理装置から該複数の画像処理装置それぞれの機器情報を取得するステップ、
前記機器情報から、前記複数の画像処理装置と、処理分類毎の処理能力からなる処理能力テーブルを生成するステップ
前記ドキュメントデータの優先順位に従って決まる処理分類及び前記処理能力テーブルから、前記複数の画像処理装置に対する処理経路を選択し、該選択された処理経路順に前記ドキュメントを転送し、印刷処理を行う印刷ステップ
の各ステップを実行させるためのプログラム。
【手続補正２】
【補正対象書類名】明細書
【補正対象項目名】０００７
【補正方法】変更
【補正の内容】
【０００７】
上記課題を解決するために、本発明に係る画像処理システムの制御方法は、ネットワーク接続された複数の画像処理装置からなる画像処理システムにおける制御方法であって、データを解析することで、該データが複数の種別のどれかを判定するステップ、前記複数の種別それぞれに設けられた複数のカウンタのうち、該判定された種別についてのカウンタをカウントし、該カウント結果に応じて処理の優先順位を決定するステップ、前記決定された優先順位とデータとを関連付けたドキュメントデータを保持する保持ステップ、前記ドキュメントデータに対する印刷の指示を受け付ける受付ステップ、前記複数の画像処理装置から該複数の画像処理装置それぞれの機器情報を取得するステップ、前記機器情報から、前記複数の画像処理装置と、処理分類毎の処理能力からなる処理能力テーブルを生成するステップ、前記ドキュメントデータの優先順位に従って決まる処理分類及び前記処理能力テーブルから、前記複数の画像処理装置に対する処理経路を選択し、該選択された処理経路順に前記ドキュメントを転送し、印刷処理を行う印刷ステップ、とを有することを特徴とする。
【手続補正３】
【補正対象書類名】明細書
【補正対象項目名】００７１
【補正方法】変更
【補正の内容】
【００７１】
ステップＳ９０７では前述したように、画像特徴量検出や顔認識などの一般的な画像処理技術を用いて画像の特徴を検知する。検知した特徴を基にステップＳ９２３においてグラデーションかどうかを判定する。判定した結果、グラデーションの場合、ステップＳ９２４においてグラデーションカウンタを加算する。一方、グラデーション以外の場合は、ステップＳ１３２５においてはイメージカウンタを加算する。次にステップＳ９０８に進んで検知した画像の特徴を文字列に変換する。この変換は特徴パラメータと文字列のテーブルを保持しておけば容易である。
【手続補正４】
【補正対象書類名】明細書
【補正対象項目名】００８０
【補正方法】変更
【補正の内容】
【００８０】
まずステップＳ１１０１においてＰＤＬデータを解析する。ステップＳ１１０２において、解析中にＴＥＸＴ，ＧＲＡＰＨＩＣ，ＩＭＡＧＥなどの属性を判定する。ステップ１１０３において判定した属性から上述したカウンタをそれぞれ加算する。次にステップＳ１１０４においてベクタデータに変換した後、ステップＳ１１０５に進んでドキュメントを生成する。ステップＳ１１０６において、ＰＤＬデータの終了を検知するまで、ステップＳ１１０１からＳ１１０５を繰り返し処理する。
【手続補正５】
【補正対象書類名】明細書
【補正対象項目名】０１０３
【補正方法】変更
【補正の内容】
【０１０３】
Ｂｏｘ機能によって、一旦出力印刷したデータを再度出力印刷したい場合に、原稿画像の読み込みやＰＣからの送信を再度やり直すことなく、ユーザが所望のデータをＵＩ等で選択して印刷することができ、手間を省くことが可能となる。
本実施形態において、Ｂｏｘ機能によって蓄積されたデータを  ＨＤＤ３０８から読み出し印刷することをＢｏｘプリントと呼ぶ。
【手続補正６】
【補正対象書類名】明細書
【補正対象項目名】０１２２
【補正方法】変更
【補正の内容】
【０１２２】
図２０のステップＳ２００１において、図９のステップＳ９３３、図１１のステップＳ１１０８においてドキュメントのメタデータとして生成された第１優先の処理能力と処理能力テーブルから処理分類と画像処理装置を選択する。
【手続補正７】
【補正対象書類名】明細書
【補正対象項目名】０１２３
【補正方法】変更
【補正の内容】
【０１２３】
ステップＳ２００２において、第２優先の処理能力が上位優先の処理分類と異なるかを判定する。判定した結果、異なる場合は、ステップＳ２００３において第２優先の処理能力と処理能力テーブルから処理分類と画像処理装置を選択する。一方、判定した結果、同じ場合は、ステップＳ２００４において選択された画像処理装置が複数あるかを判定する。判定した結果、複数ある場合は、ステップＳ２００５において、第２優先の処理能力と処理能力テーブルから複数の画像処理装置から選択する。判定した結果、複数ない場合はステップＳ２００６に進む。
【手続補正８】
【補正対象書類名】明細書
【補正対象項目名】０１２４
【補正方法】変更
【補正の内容】
【０１２４】
ステップＳ２００３，Ｓ２００４又はＳ２００５に続いてステップＳ２００６において、第３優先の処理能力が上位優先の処理分類と異なるかを判定する。判定した結果、異なる場合は、ステップＳ２００７において第３優先の処理能力と処理能力テーブルから処理分類と画像処理装置を選択する。一方、判定した結果、同じ場合は、ステップＳ２００８において選択された画像処理装置が複数あるかを判定する。判定した結果、複数ある場合は、ステップＳ２００９において、第３優先の処理能力と処理能力テーブルから複数の画像処理装置から選択する。判定した結果、複数ない場合はステップＳ２０１０に進む。
【手続補正９】
【補正対象書類名】明細書
【補正対象項目名】０１２５
【補正方法】変更
【補正の内容】
【０１２５】
次に、ステップＳ２００７，Ｓ２００８又はＳ２００９に続いてステップＳ２０１０において、第４優先の処理能力が上位優先の処理分類と異なるかを判定する。判定した結果、異なる場合は、ステップＳ２０１１において第４優先の処理能力と処理能力テーブルから処理分類と画像処理装置を選択する。一方、判定した結果、同じ場合は、ステップＳ２０１２において選択された画像処理装置が複数あるかを判定する。判定した結果、複数ある場合は、ステップＳ２０１３において、第４優先の処理能力と処理能力テーブルから、複数の画像処理装置から画像処理装置を選択する。判定した結果、複数ない場合は図２１のステップＳ２０１５に進む。
【手続補正１０】
【補正対象書類名】明細書
【補正対象項目名】０１２６
【補正方法】変更
【補正の内容】
【０１２６】
ステップＳ２０１１，Ｓ２０１２又はＳ２０１３に続いて図２１のステップＳ２０１５において、処理分類の変換処理の画像処理装置が選択されたかを判定する。判定した結果、選択されていればステップＳ２０１８に進み、選択されていた場合は、ステップＳ２０１６においてレンダラの画像処理装置が選択されたかを判定する。判定した結果、選択されていない場合は、ステップＳ２０１７において、レンダラの画像処理装置を変換処理の画像処理装置と同じにし、ステップＳ２０１８に進む。
【手続補正１１】
【補正対象書類名】明細書
【補正対象項目名】０１２７
【補正方法】変更
【補正の内容】
【０１２７】
ステップＳ２０１８においては出力デバイスの画像処理装置が選択されたかを判定する。判定した結果、選択されていない場合は、ステップＳ２０１９において出力デバイスの画像処理装置をレンダラの画像処理装置と同じにし、選択されていた場合は本フローチャートの処理を終了する。
【手続補正１２】
【補正対象書類名】明細書
【補正対象項目名】０１２８
【補正方法】変更
【補正の内容】
【０１２８】
一方、ステップＳ２０１５において処理分類の変換処理の画像処理装置が選択されたかを判定した結果、選択されていない場合は、ステップＳ２０２０に進んでレンダラの画像処理装置が選択されたかを判定する。選択されていた場合は、ステップＳ２０２１において、変換処理の画像処理装置をレンダラの画像処理装置と同じにし、ステップＳ２０１８に進む。
【手続補正１３】
【補正対象書類名】明細書
【補正対象項目名】０１２９
【補正方法】変更
【補正の内容】
【０１２９】
一方、ステップＳ２０２０において判定した結果、選択されていない場合は、ステップＳ２０２２に進んで出力デバイスの画像処理装置が選択されたかを判定する。判定した結果、選択されていた場合は、ステップＳ２０２３において、全ての処理を出力デバイスの画像処理装置と同じにして、本フローチャートの処理を終了する。
【手続補正１４】
【補正対象書類名】明細書
【補正対象項目名】０１３０
【補正方法】変更
【補正の内容】
【０１３０】
一方、ステップＳ２０２２で判定した結果、選択されていない場合は、ステップＳ２０２４において、高画質の経路なしとして、本フローチャートの処理を終了する。